(57)【要約】      （修正有）【課題】注射後、血液や薬剤がシリンダ内に残留することを防止することができ、且つ、簡易しかも順調に使用済みの注射器の注射針を薬剤推進用のプランジャ内に吸い込んで収容することができる注射器を提供する。【解決手段】シリンダ２０と、中空棒状のプランジャ５０と、摺動可能に取付けられている注射針手段４０とを備えている注射器であって、前記シリンダは、第１の内凸縁２４に脱着可能に係止されている環状の注射針保持手段３０が設けられており、一端部４１３と、他端部４１１とを有するチューブ状の注射針固着具４１と、一端４２１が注射針固着具４１に固定され、他端４２２が注出口２３１を挿通してシリンダ外へ露出している注射針４２とからなり、そして、プランジャ５０のシリンダ内に挿入される一端５４１に、プランジャ５０を密封して該プランジャ内を大気圧より低い圧力に保持しているプラグ手段５６が脱着可能に設けられている。【選択図】図３
2004194835.tif 000002
【特許請求の範囲】
【請求項１】
その軸方向上にほぼ対向している注入口（２３２）と注出口（２３１）とが開けてある円筒形のシリンダ（２０）と、前記注入口（２３２）から前記シリンダ（２０）内に挿入されていて前記軸方向に沿って摺動する中空棒状の薬剤推進用のプランジャ（５０）と、前記シリンダ（２０）内の前記注出口（２３１）近くに摺動可能に取付けられている注射針手段（４０）とを備えている注射器であって、
前記シリンダ（２０）は、前記シリンダ（２０）内の前記注出口（２３１）近くの内周面に第１の内凸縁（２４）が形成され、且つ、前記第１の内凸縁（２４）に脱着可能に係止されている環状の注射針保持手段（３０）が設けられており、
また、前記注射針手段（４０）は、前記環状の注射針保持手段（３０）の環内に挿入しており、且つ更に進んで挿通することができるようにそこに係止されている一端部（４１３）と、前記シリンダ（２０）内の前記注出口（２３１）近くに脱着可能に係止されている他端部（４１１）とを有するチューブ状の注射針固着具（４１）と、中空体であってその一端（４２１）が前記注射針固着具（４１）に固定され、他端（４２２）が前記注出口（２３１）を挿通して前記シリンダ（２３１）外へ露出している注射針（４２）とからなり、
そして、前記プランジャ（５０）の前記シリンダ（２０）内に挿入される一端（５４１）に、前記プランジャ（５０）を密封して該プランジャ（５０）内を大気圧より低い圧力に保持しているプラグ手段（５６）が脱着可能に設けられていることを特徴とする注射器。
【請求項２】
前記シリンダは、それぞれ前記注入口（２３２）が開けてある大径部（２２）と前記注出口（２３１）が開けてある小径部（２１）とからなり、
前記小径部（２１）は、前記大径部（２２）から徐々に先細に延長した第１のセクション（２１２）と、前記注出口（２３１）を先頭にするように該第１のセクション（２１２）の先頭から更にほぼ均一に伸びたる第２のセクション（２１１）とからなり、且つ、前記第１のセクション（２１２）と前記第２のセクション（２１１）との間の内表面には肩部（２１３）が形成されており、
前記環状の注射針保持手段（３０）は、前記大径部（２２）に設けられており、且つ、前記注出口（２３１）に面する第１の側面（３３）と前記プランじゃ（５０）に面する第２の側面（３４）と前記第１及び第２の側面の間に介在している内外２周面（３６，３５）とがあり、該外周面（３５）に、前記第１の内凸縁（２４）と嵌合している第１の環状凹溝（３５０）が形成され、該内周面（３６）に第２の環状凹溝（３２）が形成されており、
前記注射針固着具（４１）の外周面に、前記第２の環状凹溝（３２）内に嵌入しているフランジ（４１４）が形成されていることを特徴とする請求項１に記載の注射器。
【請求項３】
前記シリンダ（２０）の内壁と前記注射針保持手段（３０）と前記注射針固着具（４１）との間の空間（Ｐ）に圧縮用の流体が収容されており、
前記第２のセクション（２１１）内の肩部（２１３）に、前記注射針固着具（４１）の前記他端部（４１１）に当てて前記圧縮用の流体を収容している空間（Ｐ）を気密に密封したシール材（７０）が設けられており、
前記注射針固着具４１の前記他端部（４１１）の前記注射針（４２）の周りに、前記空間（Ｐ）と連通している切欠（４１６）が形成されていることを特徴とする請求項２に記載の注射器。
【請求項４】
前記シール材（７０）は、前記注射針（４２）の他端（４２２）が挿通している通孔（７１１，７２１）が開けてある弾性体であることを特徴とする請求項３に記載の注射器。
【請求項５】
前記第２のセクション（２１１）内に、その一端部（６２）が前記注射針固着具（４１）の前記他端部（４１１）に圧縮されて附勢しながら、他端部（６１）が前記注出口（２３１）近くに当てている弾性附勢部材（６０）が設けられていることを特徴とする請求項２に記載の注射器。
【請求項６】
前記第２のセクション（２１１）内に、その一端部（６２）が前記シール材（７０）に圧縮されて附勢しながら、他端部（６１）が前記注出口（２３１）近くに当てている弾性附勢部材（６０）が設けられていることを特徴とする請求項３に記載の注射器。
【請求項７】
前記注射針手段における前記注射針固着具（４１）の前記一端部（４１３）が進んで前記注射針保持手段（３０）を挿通する際、前記注射針保持手段（３０）に前記挿通に従って変形し易くさせるべく、前記注射針保持手段（３０）の第１の側面（３３）に、環状の凹槽（３９）を形成していることを特徴とする請求項２に記載の注射器。
【請求項８】
前記注射針保持手段の前記注射針固着具（４１）の外周面を囲む面積を広めるべく、その前記凹槽（３９）の内周縁側の部分（３１）を前記注射針固着具（４１）の外周面に沿って延伸させていることを特徴とする請求項３に記載の注射器。
【請求項９】
前記プランジャ（５０）は、前後順に、前記シリンダ（２０）内に挿入される一端部（５４１）を有する第１の管体（５１）と、該第１の管体（５１）より大きい管径を持つ第２の管体（５２）と、前記シリンダ（２０）の大径部（２２）の管径より大きい管径を持つ第３の管体（５３）とから一体になり、且つ、前記プランジャ（５０）内の前記第１の管体（５１）と前記第２の管体（５２）との間に肩部（５５）が形成されており、
前記プラグ手段（５６）は、中央部が窪んでいるベル状であり、その窪んだ部分（５６１）が前記注出口（２３１）の方へ向かうように前記第１の管体（５１）の先頭の管口に挿入係止されており、
また、該窪んだ部分の開口端縁（５６４）に前記注射針固着具（４１）の前記一端部（４１３）を受入れて保持する階段部（５６３）が形成され、この階段部（５６３）の前記注射針固着具（４１）の前記一端部（４１３）と周りから接触する内表面に環状溝（５６５）が形成されており、
前記注射針固着具（４１）の前記一端部（４１３）に前記プラグ手段（５６）に挿入する突体（４１２）が形成されており、該突体（４１２）上に前記環状溝（５６５）と係止する突起（４１５）が形成されていることを特徴とする請求項１に記載の注射器。
【請求項１０】
前記プランジャ（５０）の第１の管体（５１）の前記一端部（５４１）の外周面（５４４）に、環状のフック（５４６）及び突縁（５４７）が形成されており、前記環状のフック（５４６）及び突縁（５４７）により前記シリンダ（２０）の大径部（２２）内に軸方向に沿って摺動可能なシールリング５９を前記第１の管体（５１）の外周面（５４４）に外嵌固定していることを特徴とする請求項９に記載の注射器。
【請求項１１】
前記第２の管体（５２）の内周面の前記第３の管体（５３）近くに、前記第３の管体（５３）内に徐々に互いに近寄るように傾斜延伸した突体（５８）が形成されていることを特徴とする請求項９に記載の注射器。
【請求項１２】
前記第２の管体（２０）の外周面の前記第３の管体（５３）近くに、係止用突縁（５４５）が形成されており、前記シリンダ（２０）内の前記注入口（２３２）近くに前記係止用突縁（５４５０を止める第２の内凸縁（２５）が形成されていることを特徴とする請求項９に記載の注射器。
【請求項１３】
前記小径部（２１）の注出口（２３１）近くの内周面に複数のリブ（２３４）がそれぞれ軸方向に沿って設けられてそれらの間に外気とシリンダ（２０）とを連通する隙間（２３６）を形成していることを特徴とする請求項１に記載の注射器。
【請求項１４】
前記小径部（２１）の外周面に複数の係止リブ（２３５）が軸方向に沿って延伸するように形成されており、
前記注射針手段（４０）は、更に、前記注出口（２３１）外に露出している注射針（４２）を覆うように、前記小径部（２１）に外嵌しているカバー（４３）を有し、
該カバー（４３０の内周面に前記小径部（２１）の係止リブ（２３５）と係合する複数のリブ（４３１）が設けられていることを特徴とする請求項２に記載の注射器。
【請求項１５】
前記プランジャ（５０）の他端部（５４２）に、前記第３の管体（５３）の外周面と螺着しているキャップ（５７）が設けられていることを特徴とする請求項９に記載の注射器。
【請求項１６】
前記プランジャ（５０）の外周面（５４４）に複数の環状フランジ（５４４１）が直径方向に張り出ていることを特徴とする請求項１に記載の注射器。
【請求項１７】
前記注射針保持手段（３０）の前記第２の側面（３４）に、前記プランジャ（５０）の一端（５４１）と前記注射針保持手段（３０）との間に形成された隙間に挿入する環状凸縁（３４１）が突出するように形成されていることを特徴とする請求項２に記載の注射器。
【発明の詳細な説明】
【０００１】
【発明の属する技術分野】
本発明は注射器に関し、もっと詳しくは、使用済みの注射器の注射針を薬剤推進用のプランジャ内に収容することができる注射器に関する。
【０００２】
【従来の技術】
図１及び図２に示すように、米国特許第５１７６６４０号に開示されている注射器１０は、主として、その軸方向上にほぼ対向している注出口１１１付きの一端部と注入口１１２付きの他端部とを有する円筒形のシリンダ１１と、前記注出口１１１外に設けられている保持具１２と、前記保持具１２に保持されていると共に、その一端１３２が前記シリンダ１１内に挿入され、他端１３３が前記保持具１２外に露出している注射針１３と、前記注入口１１２から前記シリンダ１１内に挿入されていて前記軸方向に沿って摺動する中空棒状の薬剤推進用のプランジャ１４とを備えている。また、前記プランジャ１４の前記シリンダ１１内に挿入されている一端部１４１に、該プランジャ１４を密封して該プランジャ１４内を真空状態に保持しているゴムリング１６と、前記ゴムリング１６に嵌入されているプラグ１５とが設けられている。また、前記プランジャ１４内に、その軸方向に沿って前記プラグ１５及び前記ゴムリング１６のリング内に挿入されている連結ロッド１７２を有するピストン１７が摺動可能に設けられている。なお、前記連結ロッド１７２の内表面に係止リブ１７１が形成されており、前記注射針１３の前記一端１３２に前記係止リブ１７１と係止する凹溝１３１が形成されている。
【０００３】
このように、前記プランジャ１４を押して前記シリンダ１１内の薬剤の注射を完了した後、進んで前記プランジャ１４を前記注射針の方へ押すと、前記注射針１３の前記一端１３２で前記ゴムリング１６を刺し通してから、前記注射針１３の凹溝１３１を前記ピストン１７の係止リブ１７１に係止させる。この場合、前記プランジャ内の圧力が外気より小であるため、プランジャ内外の差圧によって前記ピストン１７を前記プランジャ内のもっと奥の方へ吸い込むので、前記ピストン１７に係止されている前記注射針１３を前記ピストン１７と共に前記プランジャ内に持ち込ませることができる。このようにして、使用済みの注射器１０は注射針１３を前記プランジャ１４内に収容し、注射針の誤刺しによる感染を防止することができる。しかしながら、このような注射器１０は、注射済みの寸前であるが、注射がまだ完全に終わらない時、前記注射針１３で既に前記ゴムリング１６を刺し通したので、薬剤や血液が前記シリンダ１１内に残る欠点がある。また、前記注射針１３があまり緊密に前記保持具１２に保持される場合、前記注射針１３は前記リブ１７１と前記凹溝１３１との係止によって前記ピストン１７と共に前記プランジャ１４内に持ち込まれない可能性がある。逆に、前記保持具１２の前記注射針１３に対する保持が十分でなく、例えば前記注射針１３と前記保持具１２との間に隙間がある場合、注射中、前記注射針１３は前記シリンダ１１内に没入したり、前記保持具１２から離れる可能性もある。
【０００４】
【発明の課題】
上記に鑑みて、本発明の目的は、注射後、血液や薬剤がシリンダ内に残留することを防止することができ、簡易にしかも順調に使用済みの注射針をプランジャ内に吸い込むことができる注射器を提供しようとすることにある。
【０００５】
【課題を解決するための手段】
上記目的を達成するために、本発明は、その軸方向上にほぼ対向している注入口と注出口とが開けてある円筒形のシリンダと、前記注入口から前記シリンダ内に挿入されていて前記軸方向に沿って摺動する中空棒状の薬剤推進用のプランジャと、前記シリンダ内の前記注出口近くに摺動可能に取付けられている注射針手段とを備えている注射器であって、前記シリンダは、前記シリンダ内の前記注出口近くの内周面に第１の内凸縁が形成され、且つ、前記第１の内凸縁に脱着可能に係止されている環状の注射針保持手段が設けられており、また、前記注射針手段は、前記環状の注射針保持手段の環内に挿入しており、且つ更に進んで挿通することができるようにそこに係止されている一端部と、前記シリンダ内の前記注出口近くに脱着可能に係止されている他端部とを有するチューブ状の注射針固着具と、中空体であってその一端が前記注射針固着具に固定され、他端が前記注出口を挿通して前記シリンダ外へ露出している注射針とからなり、そして、前記プランジャの前記シリンダ内に挿入される一端に、前記プランジャを密封して該プランジャ内を大気圧より低い圧力に保持しているプラグ手段が脱着可能に設けられていることを特徴とする注射器を提供する。
【０００６】
このように構成されている注射器は、前記シリンダ内の薬剤の注射を完了した後、進んで前記プランジャを前記注出口の方へ押して、前記プラグ手段を前記注射針固着具と一体的に結合しながら、前記プランジャで前記注射針保持手段を前記注出口の方へ押して前記注射針固着具を進んで前記注射針保持手段の環内を挿通し、該注射針保持手段との係止を解除すると同時に、前記プラグ手段を前記プランジャから外すことにより、前記プランジャの圧力が外部の圧力より小であるので、前記注射針手段を前記プラグ手段と共に前記プランジャ内に吸い込むことができる。このように、前記シリンダ内の薬剤の注射を完了した後でも、進んで前記プランジャを前記注出口の方へ押して、前記プラグ手段を前記注射針固着具と一体に結合しなければ、前記注射針手段を前記プランジャ内に吸い込むことができないので、前記シリンダ内の薬剤を完全に押出して、薬剤や血液が前記シリンダ内に残ることを防止することができる。
【０００７】
また、前記注射針固着具の前記他端部が前記シリンダ内の前記注出口近くに脱着可能に係止されており、且つ、該注射針固着具の前記一端部が前記注射針保持手段の環内に挿入していることによって、前記シリンダ内の第１の内凸縁に係止されているので、注射中、前記注射針が前記シリンダ内に没入したり、前記注射針保持手段から離れることを防止することができる。そして、前記プランジャで前記注射針保持手段を前記注出口の方へ押して前記注射針固着具を進んで前記注射針保持手段の環内を挿通し、該注射針保持手段との係止を解除すると同時に、前記プラグ手段を前記プランジャから外すことにより、順調に前記注射針手段を前記プラグ手段と共に前記プランジャ内に吸い込むことができる。
【０００８】
【発明の実施形態】
以下、図面を参照しながら、本発明の注射器の好ましい実施形態を説明する。先ず、図３及び図４を参照しながら、本発明に係る注射器の第１の実施形態を説明する。図示のように、本実施形態における注射器は、主として、その軸方向上にほぼ対向している注入口２３２と注出口２３１とが開けてある円筒形のシリンダ２０と、前記注入口２３２から前記シリンダ２０内に挿入されていて前記軸方向に沿って摺動する中空棒状のプランジャ５０と、前記シリンダ２０内の前記注出口２３１近くに摺動可能に取付けられている注射針手段４０とを備えている。また、前記シリンダ２０は、それぞれ前記注入口２３２が開けてある大径部２２と前記注出口２３１が開けてある小径部２１とからなる。前記小径部２１は、前記大径部２２から徐々に先細に延長した第１のセクション２１２と、前記注出口２３１を先頭にするように該第１のセクション２１２の先頭から更にほぼ均一に伸びたる第２のセクション２１１とからなる。且つ、前記第１のセクション２１２と前記第２のセクション２１１との間の内表面には肩部２１３が形成されている。また、前記大径部２２内の前記注出口近くの内周面に第１の内凸縁２４が形成されている。そして、前記小径部２１内の前記注出口近くの内周面に、複数のリブ２３４がそれぞれ軸方向に沿って設けられてそれらの間に外気と前記シリンダ２０とを連通する隙間２３６を形成している。なお、前記小径部２１の外周面にも複数の係止リブ２３５が軸方向に沿って延伸するように形成されている。
そして、前記大径部２２に、前記第１の内凸縁２４に脱着可能に係止されている環状の注射針保持手段３０が設けられている。この環状の注射針保持手段３０は、前記注出口２３１に面する第１の側面３３と前記プランジャ５０に面する第２の側面３４と前記第１及び第２の側面３３，３４の間に介在している内外２周面３６，３５とがあり、該外周面３５に、前記第１の内凸縁２４と嵌合している第１の環状凹溝３５０が形成され、該内周面３６に第２の環状凹溝３２が形成されている。
また、前記注射針手段４０は、前記環状の注射針保持手段の環内に挿入しており、且つ更に進んで挿通することができるようにそこに係止されている一端部４１３と、前記シリンダ２０内の前記注出口２３１近くに脱着可能に係止されている他端部４１１とを有するチューブ状の注射針固着具４１と、中空体であってその一端４２１が前記注射針固着具４１に固定され、他端が前記注出口２３１を挿通して前記シリンダ２０外へ露出している注射針４２と、前記注出口２３１外に露出している前記注射針４２を覆うように、前記小径部２１に外嵌しているカバー４３とからなる。前記注射針固着具４１の外周面に、前記第２の環状凹溝３２内に嵌入しているフランジ４１４が形成されている。また、前記カバー４３の内周面に、前記小径部２１の複数の係止リブ２３５と互いに係合する複数のリブ４３１が軸方向に沿って設けられている。なお、前記注射針手段４０における前記注射針固着具４１の前記一端部４１３が進んで前記注射針保持手段３０を挿通する際、前記注射針保持手段３０に前記挿通に従って変形し易くさせるべく、前記注射針保持手段３０の第１の側面３３に、環状の凹溝３９が形成されている。
また、前記プランジャ５０は、前後順に、前記シリンダ２０内に挿入される一端部５４１を有する第１の管体５１と、該第１の管体５１より大きい管径を持つ第２の管体５２と、前記シリンダ２０の大径部２２の管径より大きい管径を持つ第３の管体５３とから一体になる。且つ、前記プランジャ５０内の前記第１の管体５１と前記第２の管体５２との間に肩部５５が形成されている。そして、前記第１の管体５１の先頭、即ち前記プランジャ５０の前記シリンダ２０内に挿入される一端５４１に、前記プランジャ５０を密封して該プランジャ５０内を大気圧より低い圧力に保持しているプラグ手段５６が脱着可能に設けられている。
この実施形態では、前記プラグ手段５６は、中央部が窪んでいるベル状であり、その窪んだ部分５６１が前記注出口２３１の方へ向かうように前記第１の管体５１の先頭の管口に挿入係止されているが、図２０及び図２１に示すように、前記プラグ手段５６を前記第１の管体５１の管口内に塞いでもよい。また、該窪んだ部分５６１の開口端縁５６４に前記注射針固着具４１の前記一端部４１３を受入れて保持する階段部５６３が形成され、この階段部５６３の前記注射針固着具４１の前記一端部４１３と周りから接触する内表面に環状溝５６５が形成されている。前記注射針固着具４１の前記一端部４１３に前記プラグ手段５６に挿入する突体４１２が形成されており、該突体４１２上に前記環状溝５６５と係止する突起４１５が形成されている（図５参照）。
【０００９】
そして、前記プランジャ５０の第１の管体５１の前記一端部５４１の外周面５４４に、環状のフック５４６及び突縁５４７が形成されている。前記環状のフック５４６及び突縁５４７により前記シリンダ２０の大径部２２内に軸方向に沿って摺動可能なシールリング５９を前記第１の管体の外周面５４４に外嵌固定している。また、前記第２の管体５２の内周面の前記第３の管体５３近くに、前記第３の管体５３内に徐々に互いに近寄るように傾斜延伸した突体５８が形成されている。前記第２の管体５２の外周面の前記第３の管体５３近くに、係止用突縁５４５が形成されており、前記シリンダ２０内の前記注入口２３２近くに前記係止用突縁５４５を止める第２の内凸縁２５が形成されている。なお、前記プランジャ５０の他端部５４２に、前記第３の管体５３の外周面と螺着しているキャップ５７が設けられている。
【００１０】
薬剤を注射しようとする場合、前記プランジャ５０を押して前記シリンダ内２０に軸方向に沿って前記注射針保持手段３０の方へ摺動させることにより、前記シリンダ２０内の薬剤を押出して前記注射針４２を経由して注出すればよい。そして、図４及び図５に示すように、前記プランジャ５０における前記シールリング５９を前記注射針保持手段３０の前記第２の側面３４に接触すると、前記第２の管体５２の外周面における前記係止用突縁５４５が前記シリンダ内の前記第２の内凸縁２５に止められることにより、薬剤の注射が完了することを知ることができる。それと同時に、図５及び図６に示すように、進んで前記プランジャ５０を前記注出口２３１の方へ押して、前記注射針固着具４１の前記突体４１２に挿入させ、該突体４１２上の前記突起４１５を前記環状溝５６５に係止させることにより、前記プラグ手段５０を前記注射針固着具４１と一体的に結合しながら、前記プランジャ５０で前記注射針保持手段３０を前記注出口２３１の方へ押して前記注射針固着具４１を進んで前記注射針保持手段３０の環内を挿通し、前記注射針保持手段３０を前記シリンダ２０の前記第１の内凸縁２４及び前記注射針固着具４１のフランジ４１４から外させることにより、前記注射針保持手段３０と前記注射針固着具４１との係止を解除すると同時に、前記注射針固着具４１で前記プラグ手段５６を押して前記プランジャ５０の先頭からプランジャ内へ外す。この場合、前記プランジャ内の圧力が外部の圧力より小であるので、図７に示すように、プランジャ内外の差圧によって、前記プラグ手段５６をプランジャ５０内のもっと奥の方へ吸い込むと共に、前記注射針固着具４１及び前記注射針４２を前記第２の管体５２内の肩部５５又は突体５８に止められるまで、前記プランジャ内に吸い込んで収容することができる。このようにして、使用済みの注射器は注射針４２を前記プランジャ５０内に収容し、注射針の誤刺しによる感染を防止することができる。
【００１１】
次に、図８及び図９に示すのは本発明の第２の実施形態である。図示のように、本実施形態における注射器の前記第１の実施形態と異なる点は第２のセクション２１１内に、その一端部６２が前記注射針固着具４１の前記他端部４１１に圧縮されて附勢しながら、他端部６１が前記注出口２３１近くに当てている弾性附勢部材６０が設けられていることにある。本実施形態における注射器の他の構造は前記第１の実施形態と同様なので、同一の符号を附してその説明を省略する。
【００１２】
それにより、注射が完了した後、前記プランジャ５０で前記注射針保持手段３０を前記注出口２３１の方へ押して前記注射針固着具４１を進んで前記注射針保持手段３０の環内を挿通し、前記注射針保持手段３０と前記注射針固着具４１との係止を解除し、前記プラグ手段５６を前記プランジャ５０の先頭からプランジャ内へ外すと同時に、前記弾性附勢部材６０の圧縮も解除する。この場合、前記弾性附勢部材６０はその弾性回復力で前記注射針固着具４１を前記注入口２３２の方へを押すのみならず、前記プランジャ５０内の圧力が外部より小であるので、前記弾性回復力及び前記プランジャ５０内外の差圧によって、前記プラグ手段５６をプランジャ５０内のもっと奥の方へ吸い込むと共に、前記注射針固着具４１及び前記注射針４２を前記プランジャ５０内に持ち込んで収容することができる。
【００１３】
次に、図１０、図１１及び図１２に示すのは本発明の第３の実施形態である。図示のように、本実施形態における注射器の前記第１の実施形態と異なる点は、前記シリンダ２０の内壁と前記注射針保持手段３０と前記注射針固着具４１との間の空間Ｐに圧縮用の流体が収容されており、前記第２のセクション２１１内の肩部２１３に、前記注射針固着具４１の前記他端部４１１に当てて前記圧縮用の流体を収容している空間Ｐを気密に密封したシール材７０が設けられており、前記注射針固着具４１の前記他端部４１１の前記注射針４２の周りに、前記空間Ｐと連通している切欠４１６が形成されていることにある。前記シール材７０は、それぞれ前記注射針４２の他端４２１が挿通している通孔７１１，７１２が開けてある弾性体のパッキンピース７１とリング７２とからなる。また、前記注射針保持手段３０の前記注射針固着具４１の外周面を囲む面積を広めるべく、その前記凹溝３９の内周縁側の部分３９１を前記注射針固着具４１の外周面に沿って延伸させている。このようにして、前記注射針保持手段３０と前記注射針固着具４１との係止を解除した後でも、前記リング７２と前記凹溝３９の内周縁側の部分３９１とで前記空間Ｐを気密の状態を保持することができる。なお、本実施形態における注射器の他の構造は前記第１の実施形態と同様なので、同一の符号を附してその説明を省略する。
【００１４】
それにより、注射が完了した後、前記プランジャ５０で前記注射針保持手段３０を前記注出口２３１の方へ押して前記注射針固着具４１を進んで前記注射針保持手段３０の環内を挿通し、前記注射針保持手段３０と前記注射針固着具４１との係止を解除してから、進んで前記プランジャ５０で前記注射針保持手段３０をを前記注出口２３１の方へ押することにより、前記注射針保持手段３０で前記空間Ｐを圧縮すると同時に、前記プラグ手段５６を前記プランジャ５０の先頭からプランジャ内へ外す。この場合、前記プランジャ５０内の圧力が外部より小である他に、圧縮された前記空間（Ｐ）内の圧力が大きくなるので、前記プランジャ内外の差圧及び前記空間の圧力によって、前記プラグ手段５６をプランジャ５０内のもっと奥の方へ吸い込むと共に、前記注射針固着具４１及び前記注射針４２を前記プランジャ５０内に持ち込んで収容することができる。
【００１５】
次に、図１３及び図１４に示すのは本発明の第４の実施形態である。図示のように、本実施形態における注射器は、前記第３の実施形態とほぼ同様に構成されているが、前記第３の実施形態と異なる点は、前記第２のセクション２１１内に、その一端部６２が前記シール材７０の前記パッキンピースに圧縮されて附勢しながら、他端部６１が前記注出口２３１近くに当てている弾性附勢部材６０が設けられていることにある。なお、本実施形態における注射器の他の構造は前記第３の実施形態と同様なので、同一の符号を附してその説明を省略する。それにより、注射が完了した後、前記プランジャ５０で前記注射針保持手段３０を前記注出口２３１の方へ押して前記注射針固着具４１を進んで前記注射針保持手段３０の環内を挿通し、前記注射針保持手段３０と前記注射針固着具４１との係止を解除してから、プランジャ内外の差圧ばかりでなく、前記第３の実施形態のような圧力及び前記弾性附勢部材６０の弾性回復力によって、前記プラグ手段５６をプランジャ５０内のもっと奥の方へ吸い込むと共に、前記注射針固着具４１及び前記注射針４２を前記プランジャ５０内に持ち込んで収容することができる。
【００１６】
次に、図１５、図１６、図１７及び図１８に示すのはそれぞれ本発明の第５、６、７、８の実施形態である。これらの実施形態における前記第１、２、３及び４の実施形態と同様に構成されているが、例えば注射容量が１ｃｃである極めて小さい注射器に適用するために、これらの実施形態におけるシリンダ２０と、注射針保持手段３０と、注射針手段４０と、プランジャ５０と、弾性附勢手段６０と、シール材７０との寸法は前記第１、２、３及び４の実施形態のものより小さくなる。また、前記シールリング５９に代えて、前記プランジャ５０の外周面５４４に複数の環状フランジ５４４１が直径方向に張り出ている。このように、これらの環状フランジ５４４１は前記シリンダ２０の大径部２２の内管壁に沿って気密に摺動することができる。
【００１７】
また、図１９に示すのは、本発明の第９の実施形態である。本実施形態における注射器の前記第５の実施形態と異なる点は、注射針保持手段３０の第２の側面３４に、前記プランジャ５０の一端５４１と前記注射針保持手段３０との間に形成された隙間に挿入する環状凸縁３４１が突出するように形成されていることにある。このように、薬剤が前記プランジャ５０と前記注射針保持手段３０との間に残ることを防止することができる。
【００１８】
【発明の効果】
上記のように、本発明に係る注射器は、前記シリンダ内の薬剤の注射を完了した後、進んで前記プランジャを前記注出口の方へ押して、前記プラグ手段を前記注射針固着具と一体的に結合しながら、前記プランジャで前記注射針保持手段を前記注出口の方へ押して前記注射針固着具を進んで前記注射針保持手段の環内を挿通し、該注射針保持手段との係止を解除すると同時に、前記プラグ手段を前記プランジャの先頭からプランジャ内へ外すことにより、前記プランジャの圧力が外部の圧力より小であるので、前記プラグ手段をもっと奥の方へ吸い込むと共に、前記注射針手段を前記プランジャ内に持ち込むことができる。このように、前記シリンダ内の薬剤の注射を完了した後でも、進んで前記プランジャを前記注出口の方へ押して、前記プラグ手段を前記注射針固着具と一体に結合しなければ、前記注射針手段を前記プランジャ内に吸い込ませることができないので、前記シリンダ内の薬剤を完全に押出して、薬剤や血液が前記シリンダ内に残ることを防止することができる。
【００１９】
また、前記注射針固着具の前記他端部が前記シリンダ内の前記注出口近くに脱着可能に係止されており、且つ、該注射針固着具の前記一端部が前記注射針保持手段の環内に挿入していることによって、前記シリンダ内の第１の内凸縁に係止されているので、注射中、前記注射針が前記シリンダ内に没入したり、前記注射針保持手段から離れることを防止することができる。そして、前記プランジャで前記注射針保持手段を前記注出口の方へ押して前記注射針固着具を進んで前記注射針保持手段の環内を挿通し、該注射針保持手段との係止を解除すると同時に、前記プラグ手段を前記プランジャの先頭からプランジャ内へ外すことにより、順調に前記注射針手段を前記プラグ手段と共に前記プランジャ内に吸い込ませることができる。
【図面の簡単な説明】
【図１】従来の注射器の使用状態を示す断面図
【図２】前記従来の注射器における注射針をプランジャ内に吸い込んだ状態を示す断面図
【図３】本発明の第１の実施形態における注射器を示す分解図
【図４】前記第１の実施形態における注射器の使用状態を示す断面図
【図５】前記第１の実施形態におけるプラグ手段と注射針手段とを一体に結合した状態を示す部分断面図
【図６】前記第１の実施形態における注射針保持手段と注射針固着具との係止を解除した状態を示す部分断面図
【図７】前記第１の実施形態におけるプラグ手段と注射針手段とをプランジャ内に吸い込んだ状態を示す断面図
【図８】本発明の第２の実施形態における注射器を示す断面図
【図９】前記第２の実施形態におけるプラグ手段と注射針手段とをプランジャ内に吸い込んだ状態を示す断面図
【図１０】本発明の第３の実施形態における注射器を示す断面図
【図１１】前記第３の実施形態におけるプランジャで注射針保持手段を押した状態を示す断面図
【図１２】前記第３の実施形態におけるプラグ手段と注射針手段とをプランジャ内に吸い込んだ状態を示す断面図
【図１３】本発明の第４の実施形態における注射器を示す断面図
【図１４】前記第４の実施形態におけるプラグ手段と注射針手段とをプランジャ内に吸い込んだ状態を示す断面図
【図１５】本発明の第５の実施形態における注射器を示す断面図
【図１６】本発明の第６の実施形態における注射器を示す部分断面図
【図１７】本発明の第７の実施形態における注射器を示す部分断面図
【図１８】本発明の第８の実施形態における注射器を示す部分断面図
【図１９】本発明の第９の実施形態における注射器を示す断面図
【図２０】前記第１の実施形態の変形例を示す断面図
【図２１】前記変形例におけるプラグ手段と注射針手段とをプランジャ内に吸い込んだ状態を示す断面図
【主要符号の説明】
２０．．．シリンダ
２１．．．小径部
２１１．．．第２のセクション
２１２．．．第１のセクション
２１３．．．肩部
２２．．．大径部
２３１．．．注出口
２３２．．．注入口
２３４．．．リブ
２３５．．．係止リブ
２３６．．．隙間
２４．．．第１の内凸縁
２５．．．第２の内凸縁
３０．．．注射針保持手段
３２．．．第２の環状凹溝
３３．．．第１の側面
３４．．．第２の側面
３４１．．．環状凸縁
３５．．．外周面
３５０．．．第１の環状凹溝
３６．．．内周面
３９．．．凹溝
４０．．．注射針手段
４１．．．注射針固着具
４１１．．．注射針固着具の他端部
４１２．．．突体
４１３．．．注射針固着具の一端部
４１４．．．フランジ
４１５．．．突起
４２．．．注射針
４２１．．．注射針の一端
４２２．．．注射針の他端
４３．．．カバー
４３１．．．リブ
５０．．．プランジャ
５１．．．第１の管体
５２．．．第２の管体
５３．．．第３の管体
５４１．．．プランジャの一端
５４２．．．プランジャの他端
５４４．．．プランジャの外周面
５４４１．．．環状フランジ
５４５．．．係止用突縁
５４６．．．フック
５４７．．．突縁
５５．．．肩部
５６．．．プラグ手段
５６１．．．窪んだ部分
５６３．．．階段部
５６４．．．開口端縁
５６５．．．環状溝
５７．．．キャップ
５８．．．突体
６０．．．弾性附勢部材
６１．．．弾性附勢部材の他端部
６２．．．弾性附勢部材の一端部
７０．．．シール材
７１．．．プレート
７１１．．．通孔
７２．．．リング
７１２．．．通孔
【図１】
2004194835.tif 000003
【図２】
2004194835.tif 000004
【図３】
2004194835.tif 000005
【図４】
2004194835.tif 000006
【図５】
2004194835.tif 000007
【図６】
2004194835.tif 000008
【図７】
2004194835.tif 000009
【図８】
2004194835.tif 000010
【図９】
2004194835.tif 000011
【図１０】
2004194835.tif 000012
【図１１】
2004194835.tif 000013
【図１２】
2004194835.tif 000014
【図１３】
2004194835.tif 000015
【図１４】
2004194835.tif 000016
【図１５】
2004194835.tif 000017
【図１６】
2004194835.tif 000018
【図１７】
2004194835.tif 000019
【図１８】
2004194835.tif 000020
【図１９】
2004194835.tif 000021
【図２０】
2004194835.tif 000022
【図２１】
2004194835.tif 000023